(57)【特許請求の範囲】
【請求項１】
第１筒と、
第３筒と、
前記第１筒と前記第３筒との間に位置する第２筒と、を含み、
前記第１筒と前記第３筒とに対して、前記第２筒が相対的に回転し、
前記第１筒と前記第２筒との間と、前記第２筒と前記第３筒との間とで泡を細かい泡にする泡発生装置。
【請求項２】
水と泡材料とを混合する混合部が、前記第２筒の下部にある請求項１記載の泡発生装置。
【請求項３】
前記混合部の下部に、空気が供給され、泡が発生ずる泡発生部がある請求項２記載の泡発生装置。
【請求項４】
前記混合部と前記泡発生部との間に開口があり、前記混合部から前記泡発生部へと、水と泡材料との混合物が供給される請求項３記載の泡発生装置。
【請求項５】
前記第１筒の上部に、前記第１筒と前記第３筒とに対して、前記第２筒を相対的に回転させる駆動部がある請求項１〜４のいずれか１項に記載の泡発生装置。
【請求項６】
さらに、前記水を供給する水供給部と、前記泡材料を供給する泡材料供給部と、前記空気を供給する空気供給部と、を有する請求項４記載の泡発生装置。
【請求項７】
前記第２筒、または、前記第３筒に突起がある請求項１〜６のいずれか１項に記載の泡発生装置。
【請求項８】
第１筒と、
第３筒と、
前記第１筒と前記第３筒との間に位置する第２筒と、を含み、
前記第１筒と前記第３筒とに対して、前記第２筒が相対的に回転する泡発生装置であり、
前記第１筒に繋がる出口部があり、前記出口部からでる泡を受ける受け部があり、前記受け部は、返却部により前記第３筒と繋がる泡発生装置。
【請求項９】
前記第１筒と前記第３筒とは、固定されている請求項１〜８のいずれか１項に記載の泡発生装置。
【請求項１０】
水と泡材料とを混合する第１工程と、
前記混合された混合物に空気を供給し泡を発生させる第２工程と、
前記泡を請求項１〜９のいずれか１項に記載の泡発生装置の回転で、前記泡を細かくする第３工程と、を含む泡発生方法。
【発明の詳細な説明】
【技術分野】
【０００１】
本発明は、泡発生装置と泡発生方法に関する。特に、石鹸水などを泡立てる泡発生装置と泡発生方法に関する。
【背景技術】
【０００２】
従来、泡立て器があった（特許文献１）。図１の断面図で、従来の泡立て器を説明する。従来の泡立て器は、円筒状である。円筒状の容器５の内側に、円盤状の泡発生部４が配置されている。泡発生部４は、軸６で保持部３に連結されている。泡発生部４には、複数の貫通穴７がある。保持部３を上下に移動させると、泡発生部４が移動し、その貫通穴７により、石鹸水８から泡を発生させる。泡ができると、蓋２を、取り外し、泡を使用する。
【先行技術文献】
【特許文献】
【０００３】
【特許文献１】特開２０１５−１３９５４５号公報
【発明の概要】
【発明が解決しようとする課題】
【０００４】
しかし、従来の泡立て器の場合、泡の密度が低かった。そこで、本願の発明の課題は、高い密度の泡を発生することができる泡発生装置と泡発生方法とを提供することである。
【課題を解決するための手段】
【０００５】
上記課題を解決するために、内筒と、外筒と、上記内筒と上記外筒との間に位置する中筒と、を含み、上記内筒と外筒とに対して、上記中筒が相対的に回転する泡発生装置を用いる。
【０００６】
また、水と泡材料とを混合する第１工程と、上記混合された混合物に空気を供給し泡を発生させる第２工程と、上記泡を回転部で、泡を細かくする第３工程と、を含む泡発生方法を用いる。
【発明の効果】
【０００７】
本願発明の泡立て器と泡発生装置と泡発生方法では、高密度の泡を発生することができる。
【図面の簡単な説明】
【０００８】
【図１】従来例の泡立て器の断面図
【図２】（ａ）実施の形態１の泡発生装置の断面図、（ｂ）実施の形態１の泡発生装置の平面図
【図３】（ａ）実施の形態１の泡立て器の第１回転部の底面図、（ｂ）実施の形態１の泡立て器の第１回転部の側面図
【図４】（ａ）実施の形態１の泡立て器の第２回転部の平面図、（ｂ）実施の形態１の泡立て器の第２回転部の部分側面図
【図５】（ａ）〜（ｃ）実施の形態１の泡立て器の泡発生部の平面図
【図６】実施の形態２の泡発生装置の側面図
【図７】（ａ）〜（ｃ）初期のプロセスを説明する実施の形態２の泡発生装置の混合部と泡発生部の周辺の拡大断面図
【図８】（ａ）〜（ｃ）終期のプロセスを説明する実施の形態２の泡発生装置の混合部と泡発生部の周辺の拡大断面図
【図９】実施の形態２の泡発生装置の回転部の断面図
【図１０】（ａ）実施の形態２の中筒の斜視図、（ｂ）実施の形態２の基台の平面図
【図１１】実施の形態２の基台の裏面側の斜視図
【図１２】実施の形態２の中筒の斜視図
【図１３】（ａ）〜（ｂ）実施の形態２の中筒３４の斜視図、（ｃ）実施の形態２の中筒３４の変形例の回転部の内部を示す図
【図１４】実施の形態３の泡発生装置の断面図
【図１５】実施の形態３の泡発生装置の循環系部分の断面図
【発明を実施するための形態】
【０００９】
以下、実施の形態を用いて説明するが、発明は以下には限定されない。
（実施の形態１）
＜構造＞
実施の形態１の泡発生装置１７ａを、図２（ａ）の断面図と図２（ｂ）の平面図とで説明する。泡発生装置１７ａは、容器１５と、回転部３０と、駆動部１３とを有する。
＜回転部３０＞
回転部３０は、第１回転部１１と、泡発生部１４と、第２回転部１２と、第１回転部１１と泡発生部１４と第２回転部１２と駆動部１３とを繋ぐ回転軸１６と、を有する。
第１回転部１１は、回転することにより、石鹸水２０を上方へ吹き上げ、第１泡２１をつくる。
【００１０】
泡発生部１４は、貫通穴を有する薄板である。第１泡２１を、貫通穴を通過させることで第２泡２２を発生させる。貫通穴でなくともスリットでもよい。スキマがあればよい。
第２回転部１２は、第２泡２２が上方へ行かないようにする。第２泡２２は下方へおさえる。下方へ進んだ第２泡２２は、再度、第１回転部１１で、第１泡２１となる。これを繰り返して、しっかりした泡が発生する。
回転軸１６は、第１回転部１１と泡発生部１４と第２回転部１２と駆動部１３とを繋ぐ。全体で、回転部３０となる。回転軸１６は、回転部３０が回転する時の中心の軸である。この例では、泡発生部１４で、第１回転部１１を覆っている。
【００１１】
＜容器１５＞
容器１５には、石鹸水２０が入れられる。容器１５は、円筒状である。容器１５の内側で、回転部３０が回転し、泡を発生させる。
＜駆動部１３＞
駆動部１３は、回転部３０の回転軸１６を回転させる駆動部である。手動で回転させてもよい。または、モータなどで回転させてもよい。
【００１２】
＜プロセス＞
（１）  容器１５に石鹸水２０を入れる。
（２）  回転部３０を容器１５へ入れる。
（３）  駆動部１３で、回転部３０を回転させ、石鹸水２０が上方へ吹き上げ、第１泡２１を発生させる。
（４）  第１泡２１が泡発生部１４の貫通穴、スリットなどの隙間を通過する時、第２泡２２が発生する。泡が増えると、第２回転部１２まで、泡が到達する。この時、第２回転部１２で第２泡２２が上方へ行かない。容器１５の下部の石鹸水２０へ第２泡２２が戻る。
（５）  再度、上記を繰り返すことで、マイクロ状の高密度の泡ができる。
【００１３】
＜第１回転部１１＞
図３（ａ）の底面図、図３（ｂ）の部分側面図で、実施の形態１の第１回転部１１を説明する。
第１回転部１１は、回転軸１６の周りに複数のはね１１ａを有する。はね１１ａは、垂直方向に対して、傾斜している。回転により、下部にある石鹸水２０を上方へ吹き上げ、第１泡２１を発生させる。
【００１４】
＜第２回転部１２＞
図４（ａ）の平面図、図４（ｂ）の部分側面図で、実施の形態１の第２回転部１２を説明する。
第２回転部１２は、回転軸１６の周りに複数のはね１２ａを有する。はね１２ａは、水平方向に対して、傾斜している。回転により、上部へ上がってきた第２泡２２を下方へおさえる。
【００１５】
＜泡発生部１４＞
図５（ａ）〜図５（ｃ）は、泡発生部１４の一部分を例示する平面図である。
図５（ａ）では、泡発生部１４が網状であることを示す。図５（ｂ）は、泡発生部１４が、平板に円状の開口１４ａを有することを示す。図５（ｃ）では、泡発生部１４が、平板にスリット状の開口１４ａを有することを示す。
泡発生部１４は、少なくとも、第１泡２１が通過できる開口が必要である。その形状は、いろいろな形状がある。
なお、泡発生部１４は、第１回転部１１の周辺と回転軸１６との間の空間を、ほぼ囲むのが好ましい。完全に囲む必要はない。
【００１６】
＜石鹸水２０＞
石鹸水２０は、石鹸水、界面活性剤などである。泡がたつ水溶液なら利用できる。
＜容器１５と回転部３０＞
回転部３０は、容器１５に対して、回転などでその位置を変えて、泡を発生させる。特に、回転部３０は、容器１５に対して、上下方向移動し、回転し、泡を発生させてもよい。
＜第１隙間１８ａと第２隙間１８ｂ＞
容器１５の内面と第２回転部１２との間に第２隙間１８ｂがあり、容器１５の内面と第１回転部１１との間に第１隙間１８ａがある。
第２回転部１２は、第２泡２２をおさえるため。第２隙間１８ｂは狭い。第１回転部１１は、第１泡２１を発生させるため、第１隙間１８ａはある程度大きい。少なくとも、第１隙間１８ａは、第２隙間１８ｂより大きい。
【００１７】
＜軸先端１９＞
回転軸１６の先端は、軸先端１９が第１回転部１１より、下部へ飛び出している。この軸先端１９が、容器１５の底面に接触し、回転部３０が回転できる。ただし、軸先端１９を、容器１５の底面から浮かせて、回転部３０を回転させてもよい。
＜効果＞
（１）回転移動により効率的に泡が発生できる。
（２）第２回転部１２により、泡が戻され、高密度のマイクロな泡ができる。
従来の泡立て器に比較して、効率的に容易に、高密度の泡が発生できる。このため、一般家庭以外に、美容室、エステサロンなどでも利用される。
【００１８】
（実施の形態２）
＜構造＞
実施の形態２の泡発生装置１７ｂを、図６で説明する。図６は、泡発生装置１７ｂの断面図である。泡発生装置１７ｂは、本体５２と回転部５１と駆動部３１とを有する。
本体５２は、水、泡材料、空気などを回転部５１へ供給する。制御部も有する。なお、制御部は、他のところにあってもよい。
回転部５１は、回転体があり、水と泡材料と空気から泡を作製する。
駆動部３１は、回転部５１の回転体を回転させる動力源である。
【００１９】
＜回転部５１＞
回転部５１は、外筒３３と内筒３５と中筒３４とを有する。外筒３３と内筒３５との間を中筒３４が回転することで、泡が発生する。
外筒３３は、外部に面する外枠である。円筒形状である。
内筒３５は、中心に位置する。円筒形状である。
中筒３４は、外筒３３と内筒３５との間に位置する。円筒形状である。
なお、中筒３４が、内筒３５、外筒３３に対して、相対的に回転すればよい。
【００２０】
（中筒３４）
外筒３３、中筒３４とは、単純な円筒状形状である。一方、中筒３４は、２重の円筒形状である。２重の円筒形状は、内側３４ｂと外側３４ａとを有し、それぞれ底面３４ｃの一方面と接合されている。さらに、他方面には、下側３４ｄがある。下側３４ｄは、内側３４ｂを延長したような形状である。軸４７は、底面３４ｃの中心を貫通して底面３４ｃと連結されている。軸４７を駆動部３１は回転させる。
【００２１】
（混合部４６）
下側３４ｄ間には、混合部４６があり、管４５ｃで水と泡材料とが供給される。混合部４６には、下側３４ｄがあり、下側３４ｄが回転することで、水と泡材料とが混合される。
（出口３２）
出口部３２は、中筒３４の端部に位置し、作製された泡を装置外へ供給する出口である。
【００２２】
（泡発生部３９）
泡発生部３９が、内筒３５の下部にある。泡発生部３９には、空気を供給する多孔質部４０がある。空気は、本体５２の空気供給部５５から管４５ｄを介して供給される。別途、水と石鹸との混合物が、管４５ｃから供給され、多孔質部４０からの空気と混ぜられ、泡が発生する。
【００２３】
（液だめ４８）
液だめ４８が、泡発生部３９の上面にある。液だめ４８は、水と泡材料とを溜める。液だめ４８には、軸４７があり、軸４７の回転で水と泡材料とを混合する。
なお、液だめ４８は、基台４２にあり、基台４２を支える基台支持部４２ａ内に泡発生部３９がある。基台４２は、外筒３３などを支える。
【００２４】
＜駆動部３１＞
駆動部３１は、回転部５１の上方に位置する。駆動部３１は、モータなどで軸４７を回転させる。軸４７は、中筒３４と連結されているので、中筒３４が回転する。外筒３３、内筒３５は固定されている。
＜本体５２＞
泡発生部３９が、内筒３５の下部の本体５２にある。泡発生部３９には、空気を供給する多孔質部４０がある。空気は、空気供給部５５から管４５ｄを介して供給される。別途、水と石鹸との混合物が、管４５ｃから供給され、多孔質部４０からの空気と混ぜられ、泡が発生する。空気供給部５５は、エアーポンプなどである。
【００２５】
液だめ４８が、泡発生部３９の本体５２の上面にある。液だめ４８は、水と泡材料とを溜める。液だめ４８には、軸４７があり、軸４７の回転で水と泡材料とを混合する。
水供給部３７は、水を供給するポンプなどである。水道、タンクを繋がり、水を管４５ｂへ供給する。供給する水の量を制御できるのが好ましい。
材料供給部３６は、泡材料の粉をペーストなどとして供給する。たとえぱ、材料供給部３６は、泡材料ペーストが入ったチューブと繋がり、管４５ａへペーストを供給する。ペーストの送り量を調整できるが好ましい。
管４５ｃは、管４５ａと管４５ｂとがつながった管である。管４５ｃは、混合部４６へ連結される。
制御部５４で全体を制御するのが好ましい。ただし、各供給部、駆動部３１のそれぞれに制御部があってもよい。水、泡材料、空気の供給量、中筒３４の回速度などを調整することで、泡の程度（質、品質、密度など）を制御できる。
【００２６】
＜プロセス＞
駆動部３１で中筒３４が回転しつつ、材料供給部３６と水供給部３７とから、水と泡材料とが供給される。また、空気供給部５５から空気が供給される。外筒３３と内筒３５とは固定されている。
＜プロセスＩ＞：初期
図７（ａ）〜図７（ｃ）で初期のプロセスを説明する。図７（ａ）〜図７（ｃ）は、混合部４６と泡発生部３９の周辺の拡大断面図である。
（１）図７（ａ）
管４５ｃから、水と泡材料とが混合部４６に送らせる。水と泡材料は液だめ４８で貯められる。軸４７は、回転しているので、水と泡材料とは混合される。
（２）図７（ｂ）
さらに、水と泡材料が送られ、液だめ４８から水と泡材料があふれる。混合部４６が水と泡材料で満たされる。下側３４ｄも回転しているので、水と泡材料はさらに混合される。
（３）図７（Ｃ）
開口３８を介して、泡発生部３９へ水と泡材料が行く。
泡発生部３９では、多孔質部４０から空気が供給される。泡４９が発生する。
以降、プロセス２へ進む。
【００２７】
＜プロセス２＞：終期
図８（ａ）〜図８（ｃ）で終期のプロセスを説明する。図８（ａ）〜図８（ｃ）は、内筒３５、中筒３４、外筒３３の周辺の断面図である。
（４）図８（ａ）
泡発生部３９から開口３８を介して、泡４９が、外筒３３と中筒３４の外側３４ａとの間を満たす。外側３４ａは回転しているので、泡４９はより細かな泡になる。
（５）図８（ｂ）
外側３４ａを超えて、泡４９が、外側３４ａと内筒３５との間を満たす。外側３４ａは回っているので泡４９は、さらに、細かくなる。
（６）図８（ｃ）
内筒３５の下部を介して、泡４９は、内筒３５を満たす。内筒３５には、中筒３４の内側３４ｂが位置する。内側３４ｂは回転しているので、泡４９は、さらに、細かくなる。
出口部３２ａより泡４９が外部へ供給される。
【００２８】
＜突起４１＞
図９に回転部５１の断面図を示す。図１０（ａ）に中筒３４の斜視図、図１０（ｂ）に基台４２の平面図を示す。
中筒３４には突起４１があることが好ましい。泡がより細かく、高密度になる。図９では、外側３４ａの両面に突起４１を設けている。回転方向に対して、広がる方向に三角柱状の突起４１がある。なお、中筒３４に限られず、回転部５１の内部のいずれかに突起４１があるのが好ましい。突起４１は、三角柱状が好ましいが、三角錐状でも、ドット状、四角柱状、多角形状でもよい。
軸４７の周辺には凹凸があり、それと対向する液だめ４８の内面にも凹凸がある。軸４７が回転することで、液だめ４８の中で、水と泡材料とが混合される。
【００２９】
図１１に基台４２の裏面側の斜視図と、外筒３３と、基台支持部４２ａとを示す。空気供給口４０ａ、泡材料供給口４５ｅに管４５ｄ、泡材料供給口４５ｅに管４５ｃが接続される。泡発生部３９が内部にある。
図１２に、物の例の中筒３４の斜視図を示す。突起４１は、薄板、または、シート形状であり、らせん状に形成されている。この突起４１なら、回転部５１内部に泡が留まることを防止できる。つまり、中筒３４が回転すると、突起４１により、泡が上方へ移動する。泡を進める。中筒３４の長手方向で、突起４１が順次、中筒３４にまかれる。
なお、突起４１は、中筒３４に限定されず、中筒３４、外筒３３の中筒３４と対向する面にあってもよい。泡の移動を進める方向にらせん形状を設ける。
【００３０】
図１３に突起４１の変形例を示す。図１３（ａ）、図１３（ｂ）は、中筒３４の斜視図である。図１３（ａ）では、突起４１が、先端まである。先端は内部に泡発生部３９がある。図１３（ｂ）では、突起４１が、第１突起４１ａと第２突起４１ｂがある。第１突起４１ａと第２突起４１ｂとでは、突起の方向が約９０度異なる。第１突起４１ａは、泡を上方へ移動させ、第２突起４１ｂは、泡を水平方向へ移動させ、泡を混ぜる。
第１突起４１ａは、泡を上方へ移動させ、強制的に移動させる。第２突起４１ｂは、泡を水平方向へ移動させ、泡をより混ぜ、高密度にする。結果、高密度の泡を停滞なく製造できる。
なお、内筒３５、中筒３４が、１つのブロック体として、図１３（ａ）、図１３（ｂ）となったものを、図１３（ｃ）のように使用してもよい。説明しない事項は上記と同様である。下部で発生した泡が、外筒３３とブロック体となった中筒３４の側面との間で、突起３４で、高密度化される。そして、泡の成長で泡が上昇へ進み、出口部３２ａより外部へでる。上記のように、多重の筒を作製不要で、簡易的に高密度の泡ができる。
【００３１】
第１突起４１ａと第２突起４１ｂは、平板状、または、シート状で、中筒３４に垂直である。第２突起４１ｂは、中筒３４の長手方向に対して、傾斜している。泡を混ぜるだけでなく、上方へ移動させる働きもある。
なお、図１３の場合、混合部４６の外側まで、外側３４ａを広げる。
【００３２】
＜実施の形態２の効果＞
（ａ）空気、泡材料、水、中筒３４の回転速度を調整でき、泡の質、密度を調整できる。その後、回転部５１で、さらに、泡をさらに細かく、高密度にできる。
（ｂ）混合部４６、液だめ４８で水と泡材料とが混合され、その後、空気で泡を発生させるので、均質で高密度な泡ができやすい。
（ｃ）外筒３３と中筒３４と内筒３５間の長い経路を伝わって、高密度の泡ができる。なお、高い密度の泡とは、その上にコインなどをおいてもコインが乗るような泡である。泡を手にとっても、泡がなくならない泡である。
（ｄ）回転部５１がコンパクトであり、その上に駆動部３１があり、さらにコンパクトである。
（ｅ）外側３４ａなどに突起４１があることで、より泡ができる。強制的に泡を移動でき、効率的に高密度の泡を作製できる。
【００３３】
（実施の形態３）
＜構造＞
実施の形態３の泡発生装置１７ｃを、図１４で説明する。図１４は、泡発生装置１７ｃの断面図である。泡発生装置１７ｃは、実施の形態２の泡発生装置１７ｂに、さらに、循環系６５を有する。記載しない事項は、実施の形態２の泡発生装置１７ｂと同様である。
循環系６５として、受け部６２、移動部６３、返却部６１をさらに、有する。
受け部６２は、出口部３２ａからの泡を受ける部分である。逆推形状で、泡を受ける。
返却部６１は、受け部６２で受けた泡を外筒３３から本体（外筒３３内部）へ戻す通路である。
【００３４】
移動部６３は、返却部６１内で泡を本体へ移動される機構である。例えば、図１３のようなスクリューを第１スクリュー５６ａとして設ける。回転することで泡を、強制的に移動させる。
泡発生装置１７ｃでは、泡を作製し、受け部６２の上方で一部使用し、残りを再度、本体に戻す。泡を循環させながら、泡の品質を保つことができる。
さらに、受け部６２で、泡を受けるが、泡の密度が高く自重だけでは、返却部６１へ移動しにくい。そこで、図１５のように、第２スクリュー５６ｂで泡を強制的に返却部６１へ送るのが好ましい。第２スクリュー５６ｂは、複数の羽が回転し、移動部６３の方向へ泡を移動する機構である。
なお、第１，２スクリュー５６ａ、５６ｂは、スクリューでなくとも、泡の移動を進める機構なら、別の移動機構でもよい。
【００３５】
（なお書き）
上記の実施の形態は組み合わせすることができる。
【産業上の利用可能性】
【００３６】
本願発明の泡発生装置、方法は、一般家庭、美容室、エステサロンなどで利用される。
【符号の説明】
【００３７】
２  蓋
３  保持部
４  泡発生部
５  容器
６  軸
７  貫通穴
８  石鹸水
１１  第１回転部
１１ａ  はね
１２  第２回転部
１２ａ  はね
１３  駆動部
１４  泡発生部
１４ａ  開口
１５  容器
１６  回転軸
１７ａ、１７ｂ、１７ｃ  泡発生装置
１８ａ  第１隙間
１８ｂ  第２隙間
１９  軸先端
２０  石鹸水
２１  第１泡
２２  第２泡
３０  回転部
３１  駆動部
３２  出口部
３２ａ  出口部
３３  外筒
３４  中筒
３４ａ  外側
３４ｂ  内側
３４ｃ  底面
３４ｄ  下側
３５  内筒
３６  材料供給部
３７  水供給部
３８  開口
３９  泡発生部
４０  多孔質部
４１  突起
４１ａ  第１突起
４１ｂ  第２突起
４２  基台
４５ａ、４５ｂ、４５ｃ、４５ｄ  管
４５ｅ  泡材料供給口
４６  混合部
４７  軸
４９  泡
５１  回転部
５２  本体
５４  制御部
５５  空気供給部
５６ａ  第１スクリュー
５６ｂ  第２スクリュー
【要約】
【課題】高い密度の泡を発生することができる泡発生装置と泡発生方法とを提供すること。
【解決手段】内筒と、外筒と、上記内筒と上記外筒との間に位置する中筒と、を含み、上記内筒と外筒とに対して、上記中筒が相対的に回転する泡発生装置を用いる。水と泡材料とを混合する第１工程と、上記混合された混合物に空気を供給し泡を発生させる第２工程と、上記泡を回転部で、泡を細かくする第３工程と、を含む泡発生方法を用いる。
【選択図】図２【図１】
0006714255.tif 000002
【図２】
0006714255.tif 000003
【図３】
0006714255.tif 000004
【図４】
0006714255.tif 000005
【図５】
0006714255.tif 000006
【図６】
0006714255.tif 000007
【図７】
0006714255.tif 000008
【図８】
0006714255.tif 000009
【図９】
0006714255.tif 000010
【図１０】
0006714255.tif 000011
【図１１】
0006714255.tif 000012
【図１２】
0006714255.tif 000013
【図１３】
0006714255.tif 000014
【図１４】
0006714255.tif 000015
【図１５】
0006714255.tif 000016